(57)【要約】【課題】所定の対象に関する予約のキャンセルを行ったユーザの損害の軽減を可能にする。【解決手段】本願に係る情報処理装置は、所定の対象に関する予約（例えば、旅行、飲食などといった予約をキャンセルした場合にキャンセル料が発生する予約）を行ったユーザが予約のキャンセルを行った場合に、キャンセルの事由に応じていずれかが適用される複数の補償に関する値が設定された一の保険に対する加入の申込みを、ユーザから受け付ける受付部、を備えることを特徴とする。【選択図】図１
2020194512.tif 000002
【特許請求の範囲】
【請求項１】
所定の対象に関する予約を行ったユーザが前記予約のキャンセルを行った場合に、前記キャンセルの事由に応じていずれかが適用される複数の補償に関する値が設定された一の保険に対する加入の申込みを、前記ユーザから受け付ける受付部、
を備えることを特徴とする情報処理装置。
【請求項２】
前記受付部は、
前記所定の対象の予約時に、前記一の保険に対する加入の申込みを受け付ける
ことを特徴とする請求項１に記載の情報処理装置。
【請求項３】
前記受付部は、
複数の事由の各々に対応する前記複数の補償に関する値が設定された前記一の保険に対する加入の申込みを、前記ユーザから受け付ける
ことを特徴とする請求項１または請求項２に記載の情報処理装置。
【請求項４】
前記受付部は、
前記キャンセルの事由を問わない不問事由を含む前記複数の事由の各々に対応する前記複数の補償に関する値が設定された前記一の保険に対する加入の申込みを、前記ユーザから受け付ける
ことを特徴とする請求項３に記載の情報処理装置。
【請求項５】
前記受付部は、
前記不問事由に対応する補償に関する値が最も低い前記複数の補償に関する値が設定された一の保険に対する加入の申込みを、前記ユーザから受け付ける
ことを特徴とする請求項４に記載の情報処理装置。
【請求項６】
前記受付部は、
前記一の保険による保険請求時に証憑の提出が要求されない事由に対応する補償に関する値が、前記証憑の提出が要求される事由に対応する補償に関する値よりも低い前記複数の補償に関する値が設定された一の保険に対する加入の申込みを、前記ユーザから受け付ける
ことを特徴とする請求項１〜５のいずれか１項に記載の情報処理装置。
【請求項７】
前記受付部は、
前記ユーザに応じて変動する前記複数の補償に関する値が設定された前記一の保険に対する加入の申込みを、前記ユーザから受け付ける
ことを特徴とする請求項１〜６のいずれか１項に記載の情報処理装置。
【請求項８】
前記受付部は、
前記ユーザの信用度に応じて変動する前記複数の補償に関する値が設定された前記一の保険に対する加入の申込みを、前記ユーザから受け付ける
ことを特徴とする請求項７に記載の情報処理装置。
【請求項９】
前記受付部は、
旅行または飲食である前記所定の対象に関する前記予約を行った前記ユーザが前記予約の前記キャンセルを行った場合に、前記キャンセルの理由に応じていずれかが適用される前記複数の補償に関する値が設定された前記一の保険に対する加入の申込みを、前記ユーザから受け付ける
ことを特徴とする請求項１〜８のいずれか１項に記載の情報処理装置。
【請求項１０】
前記ユーザによる前記一の保険への加入を許可するかどうかを判定する判定部、
をさらに備えることを特徴とする請求項１〜９のいずれか１項に記載の情報処理装置。
【請求項１１】
前記受付部は、
前記判定部により前記ユーザによる前記一の保険への加入を許可すると判定された場合、前記ユーザから前記一の保険に対する加入の申込みを受け付ける
ことを特徴とする請求項１０に記載の情報処理装置。
【請求項１２】
前記判定部は、
前記ユーザに関する情報に基づいて、前記ユーザによる前記一の保険への加入を許可するかどうかを判定する
ことを特徴とする請求項１０または請求項１１に記載の情報処理装置。
【請求項１３】
前記判定部は、
前記ユーザの信用度に基づいて、前記ユーザによる前記一の保険への加入を許可するかどうかを判定する
ことを特徴とする請求項１０〜１２のいずれか１項に記載の情報処理装置。
【請求項１４】
前記判定部は、
前記ユーザが前記一の保険に関する不正を行う不正ユーザかどうかを判定する
ことを特徴とする請求項１０〜１３のいずれか１項に記載の情報処理装置。
【請求項１５】
前記判定部は、
前記一の保険に関する前記ユーザへの支払履歴に基づいて、前記ユーザが前記不正ユーザかどうかを判定する
ことを特徴とする請求項１４に記載の情報処理装置。
【請求項１６】
前記判定部は、
前記ユーザに保険金が支払われた対象を提供する事業者に基づいて、前記ユーザが前記不正ユーザかどうかを判定する
ことを特徴とする請求項１４または請求項１５に記載の情報処理装置。
【請求項１７】
前記判定部は、
前記事業者が提供する対象について、所定の回数よりも多く前記ユーザに保険金が支払われていた場合、前記ユーザが前記不正ユーザかどうかを判定する
ことを特徴とする請求項１６に記載の情報処理装置。
【請求項１８】
前記一の保険に対する加入の申込みを行うための情報を、前記ユーザに提供する提供部、
をさらに備えることを特徴とする請求項１〜１７のいずれか１項に記載の情報処理装置。
【請求項１９】
前記受付部は、
前記キャンセルの事由に応じていずれかが適用される複数の保険金の額が設定された前記一の保険に対する加入の申込みを、前記ユーザから受け付ける受付部、
を備えることを特徴とする請求項１〜１８のいずれか１項に記載の情報処理装置。
【請求項２０】
前記受付部は、
前記キャンセルの事由に応じていずれかが適用される複数の補償割合が設定された前記一の保険に対する加入の申込みを、前記ユーザから受け付ける受付部、
を備えることを特徴とする請求項１〜１８のいずれか１項に記載の情報処理装置。
【請求項２１】
コンピュータが実行する情報処理方法であって、
所定の対象に関する予約を行ったユーザが前記予約のキャンセルを行った場合に、前記キャンセルの事由に応じていずれかが適用される複数の補償に関する値が設定された一の保険に対する加入の申込みを、前記ユーザから受け付ける受付工程と、
を含むことを特徴とする情報処理方法。
【請求項２２】
所定の対象に関する予約を行ったユーザが前記予約のキャンセルを行った場合に、前記キャンセルの事由に応じていずれかが適用される複数の補償に関する値が設定された一の保険に対する加入の申込みを、前記ユーザから受け付ける受付手順と、
をコンピュータに実行させることを特徴とする情報処理プログラム。
【発明の詳細な説明】
【技術分野】
【０００１】
本発明の実施形態は、情報処理装置、情報処理方法および情報処理プログラムに関する。
【背景技術】
【０００２】
従来、旅館、ホテル、飲食店などの施設を利用しようとするユーザに対し、インターネットや電話などを通じて施設の予約を可能とするサービスが提供されている。このようなサービスにおいて、例えば、顧客に与えられているクレジットサービスの累計ポイント残高から、予約したサービスに応じて保証ポイント数を設定し、予約履行通知を受信した場合に保証ポイント数の設定を解消し、予約不履行通知を受信した場合に累積ポイント残高から保証ポイント数を減算する技術が提案されている。
【先行技術文献】
【特許文献】
【０００３】
【特許文献１】特開２００９−１４０３８４号公報
【発明の概要】
【発明が解決しようとする課題】
【０００４】
しかしながら、上記の従来技術では、所定の対象に関する予約のキャンセルを行ったユーザの損害の軽減を可能にできるとは限らない。例えば、上記の従来技術では、予約のキャンセルの事由に関わりなく、サービスの予約が不履行である場合に当該予約の際に設定された保証ポイント数が累積ポイント残高から減算されることとなり、所定の対象に関する予約のキャンセルを行ったユーザの損害の軽減を可能にできるとは限らない。
【０００５】
本願は、上記に鑑みてなされたものであって、所定の対象に関する予約のキャンセルを行ったユーザの損害の軽減を可能にする情報処理装置、情報処理方法および情報処理プログラムを提供することを目的とする。
【課題を解決するための手段】
【０００６】
本願にかかる情報処理装置は、所定の対象に関する予約を行ったユーザが前記予約のキャンセルを行った場合に、前記キャンセルの事由に応じていずれかが適用される複数の補償に関する値が設定された一の保険に対する加入の申込みを、前記ユーザから受け付ける受付部、を備えることを特徴とする。
【発明の効果】
【０００７】
実施形態の一態様によれば、所定の対象に関する予約のキャンセルを行ったユーザの損害の軽減を可能にするといった効果を奏する。
【図面の簡単な説明】
【０００８】
【図１】図１は、実施形態にかかる情報処理の一例を示す図である。
【図２】図２は、実施形態にかかる情報処理システムの構成例を示す図である。
【図３】図３は、実施形態に係る保険情報の一例を示す図である。
【図４】図４は、実施形態に係る情報処理装置１００の構成例を示す図である。
【図５】図５は、実施形態に係る保険情報記憶部の一例を示す図である。
【図６】図６は、実施形態に係るユーザ情報記憶部の一例を示す図である。
【図７】図７は、実施形態に係る申込受付処理の手順の一例を示すフローチャートである。
【図８】図８は、実施形態に係る申請受付処理の手順の一例を示すフローチャートである。
【図９】図９は、情報処理装置の機能を実現するコンピュータの一例を示すハードウェア構成図である。
【発明を実施するための形態】
【０００９】
以下に、本願にかかる情報処理装置、情報処理方法および情報処理プログラムを実施するための形態（以下、「実施形態」と呼ぶ）について図面を参照しつつ説明する。なお、この実施形態により本願にかかる情報処理装置、情報処理方法および情報処理プログラムが限定されるものではない。また、以下の実施形態において、同一の部位には同一の符号を付し、重複する説明は省略される。
【００１０】
〔１．情報処理の一例〕
まず、図１を用いて、実施形態にかかる情報処理の一例について説明する。図１は、実施形態にかかる情報処理の一例を示す図である。実施形態にかかる情報処理は、図１に示す情報処理装置１００によって行われる。
【００１１】
図１の説明に先立って、図２を用いて、実施形態にかかる情報処理システム１について説明する。図２は、実施形態にかかる情報処理システムの構成例を示す図である。実施形態にかかる情報処理システム１は、図２に示すように、端末装置１０と、保険会社装置４０と、情報処理装置１００とを含む。端末装置１０、保険会社装置４０、情報処理装置１００は、ネットワークＮを介して有線または無線により通信可能に接続される。なお、図２に示す情報処理システム１には、複数台の端末装置１０や、複数台の保険会社装置４０や、複数台の情報処理装置１００が含まれてよい。
【００１２】
端末装置１０は、ユーザによって利用される情報処理装置である。端末装置１０は、例えば、スマートフォンや、タブレット型端末や、ノート型ＰＣ（Personal  Computer）や、デスクトップＰＣや、携帯電話機や、ＰＤＡ（Personal  Digital  Assistant）等である。例えば、端末装置１０は、ユーザの操作に応じて、宿泊予約サービスを提供するサイト（以下、「予約サイトＹ１」と表記する場合がある）にアクセスし、宿泊予約に関する各種の情報制御を行う。後述するが、端末装置１０は、情報処理装置１００にアクセスすることで、情報処理装置１００によって提供される予約サイトＹ１に関する各種情報の表示制御等を行う。なお、本実施形態において、端末装置１０には、予約サイトＹ１に対応するアプリケーションがインストールされているものとする。
【００１３】
保険会社装置４０は、保険会社ＨＹに属するサーバ装置である。例えば、保険会社装置４０は、顧客との保険契約に関する各種情報を蓄積するとともに、保険契約に関する各種制御を行う。一例を示すと、保険会社装置４０は、顧客が加入（契約）した保険の契約内容（例えば、保険料や保険金）を管理する。ここで、保険料は、契約者が保険会社に支払う金額である。なお、本実施形態では、保険料には、それが指す金額（すなわち、保険料金額）の概念も含まれているものとする。また、保険金は、保険会社から被保険者（受取人）に支払われる金額である。同様に、本実施形態では、保険金には、それが指す金額（すなわち、保険金額）の概念も含まれているものとする。
【００１４】
ここで、本実施形態にかかる情報処理が行われるにあたっての前提について説明する。宿泊予約を例に挙げると、例えば、ユーザは宿泊予約の申し込みを完了させた後、急な用事の発生、悪天候、体調不良等の事由により、宿泊予約をキャンセルしなければならないことがある。このような場合、ユーザは、例えば、キャンセルポリシーに従ってキャンセル料を支払うことになる。一例を示すと、チェックイン日の７日前までのキャンセルであれば申込金額の１０％、チェックイン日の１日前から６日前までの間でのキャンセルであれば申込金額の５０％、チェックイン日当日のキャンセルであれば申込金額の１００％をキャンセル料として支払う支払義務を課す、といったキャンセルポリシーに従って、キャンセル料を支払う。
【００１５】
不測の事態とはいえ、サービス（本実施形態では、宿泊サービス）を受けることなく、支払いが課せられることは、ユーザにとって経済的および精神的に痛手である。そこで、このような事態に備えて、キャンセル料の少なくとも一部を補償する保険サービス（キャンセル料の少なくとも一部を保険金として、被保険者に支払う保険サービス）が存在する。このような保険は、キャンセル保険等と呼ばれることがある。
【００１６】
ここで、通常のキャンセル保険の場合、約款に定められ事故に被保険者が該当する場合、その損害に応じた保険金（あるいは決められた一定額の保険金）が被保険者に支払われる。しかしながら、保険サービスにおいて補償されるものは、「偶然外来性のある事由により生じた損害」とされており、「偶然外来性のある事由」の定義は、あらかじめ保険会社指定の理由に限られ、且つ、保険金の請求時に証明（証憑）が必要となる。したがって、ユーザがキャンセル保険に加入していても、ユーザが宿泊予約をキャンセルした事由によってはキャンセル料が補償されない場合がある。そこで、通常のキャンセル保険では支払われない事由（すなわち、偶然外来性のない事由）によっても、キャンセル保険に加入したユーザに対しキャンセル料が補償されるサービスが求められる。
【００１７】
以上のような前提および問題点を踏まえて、情報処理装置１００は、実施形態にかかる情報処理を行う。具体的には、情報処理装置１００は、所定の対象に関する予約を行ったユーザが予約のキャンセルを行った場合に、キャンセルの事由に応じていずれかが適用される複数の補償割合が設定された一の保険（キャンセル保険）に対する加入の申込みを、ユーザから受け付ける。例えば、情報処理装置１００は、キャンセルの事由を問わない不問事由を含む複数の事由の各々に対応する複数の補償割合が設定された一のキャンセル保険に対する加入の申込みを、ユーザから受け付ける。また、例えば、情報処理装置１００は、一の保険による保険請求時に証憑の提出が要求されない事由に対応する補償割合が、証憑の提出が要求される事由に対応する補償割合よりも低い複数の補償割合が設定された一のキャンセル保険に対する加入の申込みを、ユーザから受け付ける。
【００１８】
以下、実施形態にかかる情報処理装置１００による情報処理の一例について説明する。なお、本実施形態において、情報処理装置１００は、事業主Ｙによって管理されるものとする。また、情報処理装置１００は、予約サイトＹ１を提供するため、予約サイトＹ１は事業主Ｙにより運営されるサイトと言い換えることができる。また、予約サイトＹ１にて提供される宿泊予約サービスは、所定の対象に関する予約を行うためのサービスの一例である。
【００１９】
また、図１の例において、情報処理装置１００は、保険契約の内容に関する保険情報ＲＬ１を取得し、記憶部にて管理するものとする。また、図１の例では、端末装置１０がユーザＵ１により利用されるものとする。また、ユーザＵ１の「Ｕ１」は、ユーザ氏名とともに、ユーザを識別する識別情報も兼ねているものとする。
【００２０】
まず、情報処理装置１００は、端末装置１０からのアクセスに応じて、予約サイトＹ１内のページＰ１を配信する（ステップＳ１）。図１の例において、ページＰ１には、ある宿泊施設における宿泊プランの１つであるプランＰＬ１が掲載され、ユーザに対して予約に関する各種情報の入力を行わせるページＰ２へ進むためのボタンＢＴ１が含まれる。
【００２１】
ここで、ユーザＵ１が、端末装置１０に表示されたページＰ１においてボタンＢＴ１を押下したとする（ステップＳ２）。この場合、端末装置１０は、ボタンＢＴ１が押下された旨の情報（ＢＴ１押下情報）を情報処理装置１００に送信する（ステップＳ３）。ＢＴ１押下情報には、例えば、端末装置１０の識別情報が含まれる。
【００２２】
続いて、情報処理装置１００は、ＢＴ１押下情報を受信すると、予約に関する予約情報、並びに、キャンセル保険に対する加入の申込みをするか否かをユーザＵ１が入力可能に制御されたコンテンツであるページＰ２を配信する（ステップＳ４）。図１の例において、ページＰ２には、キャンセル保険に加入することにより、キャンセルの事由に応じた保険金を受け取り可能である旨が表示される領域ＡＲ１が含まれる。また、ページＰ２の領域ＡＲ１内には、ユーザがキャンセル保険に対する加入の申込みを行うためのチェックボックスＣＫ１が含まれる。また、ページＰ２には、ユーザに対して予約情報を確定させるページＰ３へ進むためのボタンＢＴ２が含まれる。
【００２３】
ここで、ユーザＵ１が、端末装置１０に表示されたページＰ２においてチェックボックスＣＫ１にチェックマークを入力し（ステップＳ５）、ボタンＢＴ２を押下したとする（ステップＳ６）。この場合、端末装置１０は、キャンセル保険に対する加入の申込みが行われたことを示す情報（ＣＫ１入力情報）、並びに、ユーザＵ１にボタンＢＴ２が押下された旨の情報（ＢＴ２押下情報）を情報処理装置１００に送信する（ステップＳ７）。ＢＴ２押下情報には、例えば、端末装置１０の識別情報や、予約情報が含まれる。
【００２４】
続いて、情報処理装置１００は、ＣＫ１入力情報及びＢＴ１押下情報を受信すると、ユーザＵ１によるキャンセル保険への加入を許可するか否かを、ユーザＵ１に関する情報に基づいて判定する（ステップＳ８）。図１の例において、情報処理装置１００は、予約サイトＹ１にて提供される宿泊予約サービスにおけるユーザＵ１の利用状況や、キャンセル保険の利用状況などといった、ユーザＵ１に関するユーザ情報に基づき、ユーザＵ１によるキャンセル保険への加入を許可するか否かを判定する。
【００２５】
例えば、情報処理装置１００は、予約サイトＹ１にて提供される宿泊予約サービスにおけるユーザの予約のキャンセル率が所定の閾値（７０％）以上である場合、当該ユーザによるキャンセル保険への加入を許可しない。
【００２６】
また、情報処理装置１００は、ユーザが、保険会社ＨＹとの間で契約したキャンセル保険に関する不正を行う不正ユーザであると判定した場合、当該ユーザによるキャンセル保険への加入を許可しない。例えば、情報処理装置１００は、ユーザに支払われた保険金のうち、同一の宿泊施設や当該宿泊施設の事業者が提供する関連施設を対象とする予約のキャンセルによって支払われたものが所定の回数以上含まれる場合、当該ユーザを、宿泊施設の事業者と共同して不正に保険金を受け取っている不正ユーザと判定し、キャンセル保険への加入を許可しない。
【００２７】
ここで、情報処理装置１００が、ユーザＵ１のキャンセル保険への加入を許可したものとする（加入ＯＫ）。この場合、情報処理装置１００は、ユーザＵ１が入力した予約情報と、キャンセルの事由ごとにキャンセル料の補償割合が設定された保険情報ＲＬ１に基づく情報とを含むコンテンツであるページＰ３を配信する（ステップＳ９）。図１の例において、ページＰ３には、保険会社ＨＹとのキャンセル保険の契約における約款が表示される領域ＡＲ２が含まれる。また、ページＰ３の領域ＡＲ２内には、保険情報ＲＬ１に含まれる情報全体、若しくは、一部を示す情報ＩＮＦ１が含まれる。また、ページＰ３には、予約情報、並びに、契約するキャンセル保険の内容をユーザに確定させるためのボタンＢＴ３が含まれる。
【００２８】
図１の保険情報ＲＬ１に示す「事由ＩＤ」は、キャンセルの事由を識別するための識別情報を示す。また、「事由」は、キャンセルの事由を示す。また、「割合」は、対応する「事由」の項目に格納された事由によるキャンセルが発生した場合にキャンセル料が補償される割合を示す。また、「証憑提出」は、対応する「事由」の項目に格納された事由を証明するための証憑の提出に関する情報を示し、「要否」、「確認方法」いった項目を有する。「要否」は、証憑の提出の要否を示す。また、「確認方法」は、提出された証憑の確認方法を示す。
【００２９】
保険情報ＲＬ１に示すように、本実施形態では、予約をキャンセルする事由を問わない場合、証憑の提出を要求しないが、最も低いキャンセル料の補償の割合「３０％」が設定される。一方、予約をキャンセルする事由が規定されている場合、当該事由を証明するための証憑の提出を要求すると共に、当該事由の急激性や、偶然性、外来性、当該事由がユーザに起因する程度、並びに、証憑の確認方法（システム等による機械的な確認方法や、人（審査者等）等による厳格な確認方法等）に応じて、キャンセル料の補償の割合が高く設定される。
【００３０】
なお、情報処理装置１００は、予約サイトＹ１におけるユーザの宿泊予約サービスの利用状況に応じて保険情報ＲＬ１の設定内容を変動させてもよい。例えば、情報処理装置１００は、予約のキャンセル率に応じてユーザをランク「高（キャンセル率１０％未満）」、「中（キャンセル率１０％以上７０％未満」、「低（キャンセル率７０％以上）」のいずれかに設定し、ランクに応じて保険情報ＲＬ１の設定内容を変動させる。具体的には、ユーザにランク「高」が設定されている場合、情報処理装置１００は、「割合」の項目に格納された補償の割合に所定の値を加算する。一方、ユーザにランク「低」が設定されている場合、情報処理装置１００は、「割合」の項目に格納された補償の割合から所定の値を減算する。
【００３１】
ここで、ユーザＵ１が、端末装置１０に表示されたページＰ３においてボタンＢＴ３を押下（言い換えると、保険情報ＲＬ１が示す保険契約の内容に同意）したとする（ステップＳ１０）。この場合、端末装置１０は、ボタンＢＴ３が押下された旨の情報（ＢＴ３押下情報）を情報処理装置１００に送信する（ステップＳ１１）。ＢＴ３押下情報には、例えば、端末装置１０の識別情報や、予約情報、保険情報ＲＬ１の識別情報が含まれる。
【００３２】
続いて、情報処理装置１００は、ＢＴ３押下情報を受信すると、保険会社装置４０に対し加入契約処理を行う（ステップＳ１２）。図１の例において、情報処理装置１００は、端末装置１０の識別情報、予約情報（例えば、宿泊予約をキャンセルしたことによって発生するキャンセル料）、保険情報ＲＬ１の識別情報を保険会社装置４０に送信する。そして、保険会社装置４０は、情報処理装置１００から送信された情報を対応付けて記憶部にて管理する。
【００３３】
なお、加入契約処理の後、情報処理装置１００は、端末装置１０からのアクセスに応じて、予約情報に対応するプランＰＬ１の予約のキャンセルの申込み、キャンセルの事由、並びに、当該事由の証憑を入力可能に制御されたコンテンツである申請ページを配信する。ここで、キャンセルの事由が「同伴者が病気」である場合、情報処理装置１００は、証憑として、病院での会計に対応する決済履歴や、ユーザが端末装置１０の撮像部により撮像した診断書の画像等を入力可能に制御した申請ページを配信する。
【００３４】
そして、端末装置１０に表示された申請ページにおいて予約のキャンセルの申込み、キャンセルの事由、並びに、当該事由の証憑が入力された場合、端末装置１０は、ユーザＵ１の操作に応じて、入力された情報（以下、「申請情報」と記載する場合がある）を情報処理装置１００に送信する。なお、申請ページにおいて、例えば、ユーザＵ１が、保険情報ＲＬ１に示す事由ＩＤ「ＲＳ３」に対応する事由により予約のキャンセルを希望する場合、証憑の入力を必要としない。
【００３５】
続いて、情報処理装置１００は、申請情報を受信すると、当該情報に基づいて、保険金の支払い処理を実行する。ここで、図１の例において、ユーザＵ１が「同伴者が病気」を事由（事由ＩＤ「ＲＳ２」に対応する事由）としてプランＰＬ１の予約のキャンセルを申込み、当該キャンセルにより、キャンセル料「５０００円」が発生するものとする。この場合、申請ページにおいて入力された証憑によりキャンセルの事由が認められた際、情報処理装置１００は、ユーザＵ１に支払われる保険金の額を「２５００円」と決定する。一方、申請ページにおいて入力された証憑によりキャンセルの事由が認められなかった際、情報処理装置１００は、キャンセルの事由を、事由ＩＤ「ＲＳ３」に対応する事由と自動的に認定し、ユーザＵ１に支払われる保険金の額を「１５００円」と決定する。
【００３６】
なお、図１の例では、キャンセルの事由ごとにキャンセル料の補償割合が設定された保険に関する保険情報ＲＬ１を配信し、保険情報ＲＬ１が示す保険への加入を受け付ける例を示したが、実施形態に係る情報処理装置１００の機能はこのような例に限定されない。例えば、情報処理装置１００は、キャンセルの事由ごとに補償される保険金の額が設定された保険に関する保険情報（言い換えると、保険金の額が固定された保険情報）を配信し、当該保険への加入を受け付けてもよい。ここで、図３を用いて、保険金の額が固定された保険に関する保険情報ＲＬ２について説明する。図３は、実施形態に係る保険情報の一例を示す図である。なお、図３の例に示す保険情報ＲＬ２は、サービスの予約時に支払う申込金額（言い換えると、キャンセル保険の補償の対象となる金額）が「５００００円」であるユーザに対し配信されるものとする。
【００３７】
図３の保険情報ＲＬ２に示す「事由ＩＤ」は、キャンセルの事由を識別するための識別情報を示す。また、「事由」は、キャンセルの事由を示す。また、「保険金」は、対応する「事由」の項目に格納された事由によるキャンセルが発生した場合に補償される保険金の額を示す。また、「証憑提出」は、対応する「事由」の項目に格納された事由を証明するための証憑の提出に関する情報を示し、「要否」、「確認方法」いった項目を有する。「要否」は、証憑の提出の要否を示す。また、「確認方法」は、提出された証憑の確認方法を示す。
【００３８】
図３の保険情報ＲＬ２では、予約をキャンセルする事由を問わない場合、証憑の提出を要求しないが、最も低い補償の金額「３０％」が設定される。一方、予約をキャンセルする事由が規定されている場合、当該事由を証明するための証憑の提出を要求すると共に、当該事由の急激性や、偶然性、外来性、当該事由がユーザに起因する程度、並びに、証憑の確認方法に応じて、キャンセル料の補償の金額が高く設定される。
【００３９】
なお、情報処理装置１００は、予約サイトＹ１におけるユーザの宿泊予約サービスの利用状況に応じて保険情報ＲＬ２の設定内容を変動させてもよい。例えば、情報処理装置１００は、予約のキャンセル率に応じてユーザをランク「高」、「中」、「低」のいずれかに設定し、ランクに応じて保険情報ＲＬ２の設定内容を変動させる。具体的には、ユーザにランク「高」が設定されている場合、情報処理装置１００は、「保険金」の項目に格納された金額に所定の値を加算する。一方、ユーザにランク「低」が設定されている場合、情報処理装置１００は、「保険金」の項目に格納された金額から所定の値を減算する。
【００４０】
また、情報処理装置１００は、申込金額の価格に応じて、保険情報ＲＬ２の設定内容を変動させてもよい。例えば、情報処理装置１００は、保険情報ＲＬ２の配信対象のユーザが支払う申込金額を「高（例えば、２０万円以上）」、「中（例えば、３万円以上２０万円未満）」、「低（例えば、３万円未満）」といった価格帯に分類し、「保険金」の項目に格納された金額を、分離した価格帯に対して設定された値に変更する。
【００４１】
以上、説明してきたように、実施形態に係る情報処理装置１００は、所定の対象に関する予約を行ったユーザが予約のキャンセルを行った場合に、キャンセルの事由（例えば、常の保険では保険金が支払われない偶然外来性のない事由）に応じていずれかが適用される複数の補償割合が設定された一の保険に対する加入の申込みを、ユーザから受け付ける。そして、実施形態に係る情報処理装置１００は、保険への加入の後、ユーザから予約のキャンセルの申込みが行われた場合、当該申込みと同時にユーザから提供されるキャンセルの事由、並びに、当該事由の証憑に基づき、保険金の額を決定する。これにより、実施形態に係る情報処理装置１００は、虚偽の事由に基づく保険金の支払いを防ぐと共に、通常の保険では保険金が支払われない事由による予約のキャンセルに応じた保険金をユーザに提供できる。すなわち、実施形態に係る情報処理装置１００は、所定の対象に関する予約を行ったユーザの損害を軽減できる。
【００４２】
〔２．情報処理装置の構成〕
次に、図４を用いて、実施形態に係る情報処理装置１００について説明する。図４は、実施形態に係る情報処理装置１００の構成例を示す図である。図４に示すように、情報処理装置１００は、通信部１１０と、記憶部１２０と、制御部１３０とを有する。例えば、情報処理装置１００は、図１で説明した情報処理を行うサーバ装置である。
【００４３】
（記憶部１２０について）
記憶部１２０は、例えば、ＲＡＭ（Random  Access  Memory)、フラッシュメモリ（Flash  Memory）等の半導体メモリ素子、または、ハードディスク、光ディスク等の記憶装置によって実現される。図４に示すように、記憶部１２０は、保険情報記憶部１２１と、ユーザ情報記憶部１２２とを有する。
【００４４】
（保険情報記憶部１２１について）
保険情報記憶部１２１は、保険契約の内容に関する保険情報を記憶する。例えば、保険情報記憶部１２１は、保険会社装置４０から提供される保険情報を記憶する。ここで、図４を用いて、保険情報記憶部１２１が記憶する保険情報の一例を説明する。図４は、実施形態に係る保険情報記憶部の一例を示す図である。図４の例では、保険情報記憶部１２１は、「事由ＩＤ」、「事由」、「割合」、「証憑提出」といった項目を有する。
【００４５】
「事由ＩＤ」は、キャンセルの事由を識別するための識別情報を示す。「事由」は、キャンセルの事由を示す。「割合」は、対応する「事由」の項目に格納された事由によるキャンセルが発生した場合にキャンセル料が補償される割合を示す。「証憑提出」は、対応する「事由」の項目に格納された事由を証明するための証憑の提出に関する情報を示し、「要否」、「確認方法」いった項目を有する。「要否」は、証憑の提出の要否を示す。「確認方法」は、提出された証憑の確認方法を示す。
【００４６】
すなわち、図４の例では、事由ＩＤ「ＲＳ１」によって識別される事由「本人同居親族の死亡」等による予約のキャンセルが発生した場合にキャンセル料の「８０％」が補償され、保険の適用を受ける場合に当該事由を証明するための証憑の提出が要求され、当該証憑が人（審査者等）により確認される例を示す。
【００４７】
なお、保険情報記憶部１２１が記憶する保険情報は、キャンセルの事由ごとに補償される保険金の額が固定された保険に関するものであってもよい。例えば、保険情報記憶部１２１は、図３に示すように、対応する「事由」の項目に格納された事由によるキャンセルが発生した場合に補償される固定の金額を示す「保険金」の項目を、「割合」の項目に替えて有してもよい。
【００４８】
（ユーザ情報記憶部１２２について）
ユーザ情報記憶部１２２は、ユーザに関するユーザ情報を記憶する。ここで、図６を用いて、ユーザ情報記憶部１２２が記憶するユーザ情報の一例を説明する。図６は、実施形態に係るユーザ情報記憶部の一例を示す図である。図６の例では、ユーザ情報記憶部１２２は、「ユーザＩＤ」、「属性情報」、「支払履歴」、「予約情報」、「信用度」といった項目を有する。
【００４９】
「ユーザＩＤ」は、ユーザまたはユーザが利用する端末装置１０を識別する識別情報を示す。「属性情報」は、ユーザのデモフラフィック属性やサイコグラフィック属性（例えば、子供の有無や、同居している高齢者の有無等）を示す。「支払履歴」は、ユーザに支払われた保険金の履歴を示す。なお、図６では、「支払履歴」に「支払履歴＃１」といった概念的な情報が格納される例を示したが、実際には、ユーザに支払われた金額や、保険金が支払われた回数、保険金が支払われた対象（予約に対応するサービス等）を提供する事業者を識別するための識別情報等が格納される。
【００５０】
「予約情報」は、所定の対象の予約に関する情報を示し、「事業者ＩＤ」、「予約内容」といった項目を有する。「事業者ＩＤ」は、予約の対象を提供する事業者を識別する識別情報を示す。「予約内容」は、予約の内容を示す。なお、図６では、「予約内容」に「予約内容＃１」といった概念的な情報が格納される例を示したが、実際には、予約を識別するための識別情報や、予約に対応するキャンセル保険を識別するための識別情報、予約の対象に関する情報等が格納される。
【００５１】
「信用度」は、ユーザの予約のキャンセル率や、「支払履歴」の項目に格納された情報等に基づいて算出されるユーザの信用度を示す。
【００５２】
すなわち、図６の例では、ユーザＩＤ「Ｕ１」によって識別されるユーザ（ユーザＵ１）の属性情報が「属性情報＃１」、支払履歴が「支払履歴＃１」であり、事業者ＩＤ「Ｂ１」によって識別される事業者が提供する対象に予約内容「予約内容＃１」で予約を行い、当該ユーザの信用度が「信用度＃１」である例を示す。
【００５３】
（制御部１３０について）
制御部１３０は、コントローラ（controller）であり、例えば、ＣＰＵ（Central  Processing  Unit）やＭＰＵ（Micro  Processing  Unit）等によって、情報処理装置１００内部の記憶装置に記憶されている各種プログラムがＲＡＭを作業領域として実行されることにより実現される。また、制御部１３０は、コントローラであり、例えば、ＡＳＩＣ（Application  Specific  Integrated  Circuit）やＦＰＧＡ（Field  Programmable  Gate  Array）等の集積回路により実現される。実施形態に係る制御部１３０は、図４に示すように、受信部１３１と、判定部１３２と、提供部１３３と、申込受付部１３４と、契約処理部１３５と、申請受付部１３６と、支払処理部１３７とを有し、以下に説明する情報処理の機能や作用を実現または実行する。
【００５４】
（受信部１３１について）
受信部１３１は、ユーザの操作に応じて端末装置１０から送信される各種情報を受信する。例えば、受信部１３１は、コンテンツに含まれる操作ボタンが押下された場合、押下情報を端末装置１０から受信する。また、例えば、受信部１３１は、コンテンツに含まれるチェックボックスにチェックマークが入力された場合、入力情報を端末装置１０から受信する。また、例えば、受信部１３１は、申請ページにおいて入力された申請情報を端末装置１０から受信する。
【００５５】
例えば、図１の例において、受信部１３１は、Ｂ１押下情報、Ｂ２押下情報、Ｂ３押下情報及びＣＫ１入力情報を受信する。なお、受信部１３１は、例えば、端末装置１０の識別情報（ユーザＩＤ）や、ユーザが入力した予約情報、保険契約（保険情報）の識別情報等を含む押下情報を受信することができる。また、受信部１３１は、受信した情報をユーザ情報記憶部１２２に格納する。
【００５６】
（判定部１３２について）
判定部１３２は、ユーザによる一の保険への加入を許可するかどうかを判定する。例えば、図１の例において、判定部１３２は、ユーザＵ１によるキャンセル保険への加入を許可するか否かを判定する。
【００５７】
また、判定部１３２は、ユーザに関する情報に基づいて、ユーザによる一の保険への加入を許可するかどうかを判定してもよい。例えば、図１の例において、判定部１３２は、予約サイトＹ１にて提供される宿泊予約サービスにおけるユーザＵ１の利用状況や、キャンセル保険の利用状況などといった、ユーザＵ１に関するユーザ情報に基づき、ユーザＵ１によるキャンセル保険への加入を許可するか否かを判定する。
【００５８】
また、判定部１３２は、ユーザの信用度に基づいて、ユーザによる一の保険への加入を許可するかどうかを判定してもよい。例えば、図１の例において、判定部１３２は、予約サイトＹ１にて提供される宿泊予約サービスにおけるユーザＵ１の利用状況（例えば、キャンセル率）や、キャンセル保険の利用状況（例えば、ユーザＵ１に保険金が支払われた回数や、支払われた保険金の額等）などに基づいて算出される信用度に基づいて、ユーザＵ１によるキャンセル保険への加入を許可するか否かを判定する。
【００５９】
また、判定部１３２は、ユーザが一の保険に関する不正を行う不正ユーザかどうかを判定してもよい。例えば、図１の例において、判定部１３２は、ユーザが保険会社ＨＹとの間で契約したキャンセル保険に関する不正を行う不正ユーザであるか否かを判定し、不正ユーザと判定した場合、当該ユーザによるキャンセル保険への加入を許可しない。
【００６０】
また、判定部１３２は、一の保険に関するユーザへの支払履歴に基づいて、ユーザが不正ユーザかどうかを判定してもよい。例えば、判定部１３２は、ユーザ情報記憶部１２２の「支払履歴」の項目に格納された情報に基づいて、ユーザが不正ユーザであるか否かを判定する。
【００６１】
また、判定部１３２は、ユーザに保険金が支払われた対象を提供する事業者に基づいて、ユーザが不正ユーザかどうかを判定してもよい。例えば、判定部１３２は、ユーザに保険金が支払われた対象を提供する事業者と、当該ユーザとの関係性（例えば、親戚、友人、知り合い等）に基づいて、当該ユーザが不正ユーザであるか否かを判定する。
【００６２】
また、判定部１３２は、事業者が提供する対象について、所定の回数よりも多くユーザに保険金が支払われていた場合、ユーザが不正ユーザかどうかを判定してもよい。例えば、図１の例において、判定部１３２は、ユーザに支払われた保険金のうち、同一の宿泊施設や当該宿泊施設の事業者が提供する関連施設を対象とする予約のキャンセルによって支払われたものが所定の回数以上含まれる場合、当該ユーザを、宿泊施設の事業者と共同して不正に保険金を受け取っている不正ユーザと判定し、キャンセル保険への加入を許可しない。
【００６３】
（提供部１３３について）
提供部１３３は、一の保険に対する加入の申込みを行うための情報を、ユーザに提供する。例えば、提供部１３３は、受信部１３１により押下情報や入力情報が受信された場合、受信された情報に応じて端末装置１０にコンテンツを提供（配信）する。例えば、図１の例において、提供部１３３は、ページＰ１、ページＰ２、ページＰ３及び申請ページを端末装置１０に提供する。
【００６４】
なお、提供部１３３による申請ページの提供処理は、他のサーバ装置等により行われてもよい。例えば、図１の例において、保険会社装置４０は、端末装置１０からのアクセスに応じて申請ページを提供する。
【００６５】
また、図１の例において、保険会社ＨＹとのキャンセル保険の契約における約款が表示される領域ＡＲ２が含まれるページＰ３を提供する例を示したが、提供部１３３は、保険の契約における約款が表示される他のページを端末装置１０に提供してもよい。例えば、図１の例において、提供部１３３は、受信部１３１がＢＴ２押下情報を受信した場合、キャンセル保険の契約における約款を含むページ（以下、「保険ページ」と記載する場合がある）を端末装置１０に提供する保険ページには、キャンセル保険の契約における約款を表示される領域が含まれる。また、保険ページには、キャンセル保険の内容をユーザに確定させるためのボタンが含まれる。
【００６６】
そして、確定ボタンが押下された旨の情報を受信部１３１が受信した場合、提供部１３３は、ユーザＵ１が入力した予約情報を含むコンテンツであるページ（例えば、領域ＡＲ２を含まないページＰ３）を配信する。
【００６７】
また、提供部１３３による保険ページの提供処理は、他のサーバ装置等により行われてもよい。例えば、図１の例において、提供部１３３は、受信部１３１がＢＴ２押下情報を受信した場合、保険ページを保険会社装置４０から取得させるための命令を端末装置１０に提供する。そして、保険会社装置４０は、端末装置１０からのアクセスに応じて保険ページを端末装置１０に配信する。
【００６８】
（申込受付部１３４について）
申込受付部１３４は、所定の対象に関する予約を行ったユーザが予約のキャンセルを行った場合に、キャンセルの事由に応じていずれかが適用される複数の補償割合が設定された一の保険に対する加入の申込みを、ユーザから受け付ける。例えば、図１の例において、申込受付部１３４は、ユーザＵ１によりボタンＢＴ３が押下されたことにより、宿泊プランの１つであるプランＰＬ１の予約を行ったユーザＵ１が当該予約のキャンセルを行った場合に適用されるキャンセル保険に対する加入の申込みを受け付ける。なお、上記の通り、ボタンが押下された押下情報は受信部１３１により受信されるため、申込受付部１３４は、例えば、受信部１３１を介して予約申し込みを受け付けてもよいし、予約申し込みに関しては、端末装置１０から直接受け付けてもよい。
【００６９】
なお、申込受付部１３４は、所定の対象に関する予約を行ったユーザが予約のキャンセルを行った場合に、キャンセルの事由に応じていずれかが適用される複数の補償に関する値が設定された一の保険に対する加入の申込みを記ユーザから受け付けてもよい。例えば、申込受付部１３４は、キャンセルの事由に応じていずれかが適用される複数の保険金の額が設定された一の保険に対する加入の申込みを、ユーザから受け付ける。
【００７０】
また、申込受付部１３４は、所定の対象の予約時に、一の保険に対する加入の申込みを受け付けてもよい。例えば、図１の例において、申込受付部１３４は、プランＰＬ１の予約を行う際に端末装置１０に表示されるページＰ３に含まれるボタンＢＴ３が押下されたことにより、キャンセル保険に対する加入の申込みを受け付ける。
【００７１】
また、申込受付部１３４は、複数の事由の各々に対応する複数の補償割合が設定された一の保険に対する加入の申込みを、ユーザから受け付けてもよい。例えば、図１の例において、申込受付部１３４は、キャンセルの事由ごとにキャンセル料の補償割合が設定された保険情報ＲＬ１に対応するキャンセル保険に対する加入の申込みを受け付ける。
【００７２】
なお、申込受付部１３４は、複数の事由の各々に対応する複数の補償に関する値が設定された一の保険に対する加入の申込みを、ユーザから受け付けてもよい。例えば、申込受付部１３４は、複数の事由の各々に対応する複数の保険金の額が設定された一の保険に対する加入の申込みを、ユーザから受け付ける。例えば、申込受付部１３４は、キャンセルの事由ごとにキャンセル料に対し補償される保険金の額が設定された保険情報ＲＬ２に対応するキャンセル保険に対する加入の申込みを受け付ける。
【００７３】
また、申込受付部１３４は、キャンセルの事由を問わない不問事由を含む複数の事由の各々に対応する複数の補償割合が設定された一の保険に対する加入の申込みを、ユーザから受け付けてもよい。例えば、図１の例において、申込受付部１３４は、予約をキャンセルする事由を問わない場合にもキャンセル料の補償を行う保険情報ＲＬ１に対応するキャンセル保険に対する加入の申込みを受け付ける。
【００７４】
なお、申込受付部１３４は、キャンセルの事由を問わない不問事由を含む複数の事由の各々に対応する複数の補償に関する値が設定された一の保険に対する加入の申込みを、ユーザから受け付けてもよい。例えば、申込受付部１３４は、キャンセルの事由を問わない不問事由を含む複数の事由の各々に対応する複数の保険金の額が設定された一の保険に対する加入の申込みを、ユーザから受け付ける。例えば、申込受付部１３４は、予約をキャンセルする事由を問わない場合にもキャンセル料の補償を行う保険情報ＲＬ２に対応するキャンセル保険に対する加入の申込みを受け付ける。
【００７５】
また、申込受付部１３４は、不問事由に対応する補償割合が最も低い複数の補償割合が設定された一の保険に対する加入の申込みを、ユーザから受け付けてもよい。例えば、図１の例において、申込受付部１３４は、予約をキャンセルする事由を問わない場合、最もキャンセル料の補償の割合が低い保険情報ＲＬ１に対応するキャンセル保険に対する加入の申込みを受け付ける。
【００７６】
なお、申込受付部１３４は、不問事由に対応する補償に関する値が最も低い複数の補償に関する値が設定された一の保険に対する加入の申込みを、ユーザから受け付けてもよい。例えば、申込受付部１３４は、不問事由に対応する保険金の額が最も低い複数の保険金の額が設定された一の保険に対する加入の申込みを、ユーザから受け付ける。例えば、申込受付部１３４は、予約をキャンセルする事由を問わない場合、最も保険金の額が低い保険情報ＲＬ２に対応するキャンセル保険に対する加入の申込みを受け付ける。
【００７７】
また、申込受付部１３４は、一の保険による保険請求時に証憑の提出が要求されない事由に対応する補償割合が、証憑の提出が要求される事由に対応する補償割合よりも低い複数の補償割合が設定された一の保険に対する加入の申込みを、ユーザから受け付けてもよい。例えば、図１の例において、申込受付部１３４は、証憑の提出を要求しない場合、最も低いキャンセル料の補償の割合「３０％」が設定され、事由を証明するための証憑の提出を要求する場合、「３０％」よりも高い補償の割合が設定された保険情報ＲＬ１に対応するキャンセル保険に対する加入の申込みを受け付ける。
【００７８】
なお、申込受付部１３４は、一の保険による保険請求時に証憑の提出が要求されない事由に対応する補償に関する値が、証憑の提出が要求される事由に対応する補償に関する値よりも低い複数の補償に関する値が設定された一の保険に対する加入の申込みを、ユーザから受け付けてもよい。例えば、申込受付部１３４は、一の保険による保険請求時に証憑の提出が要求されない事由に対応する保険金の額が、証憑の提出が要求される事由に対応する保険金の額よりも低い複数の保険金の額が設定された一の保険に対する加入の申込みを、ユーザから受け付ける。例えば、申込受付部１３４は、証憑の提出を要求しない場合、最も低い保険金の額「５０００円」が設定され、事由を証明するための証憑の提出を要求する場合、「５０００円」よりも高い保険金の額が設定された保険情報ＲＬ２に対応するキャンセル保険に対する加入の申込みを受け付ける。
【００７９】
また、申込受付部１３４は、ユーザに応じて変動する複数の補償割合が設定された一の保険に対する加入の申込みを、ユーザから受け付けてもよい。例えば、図１の例において、申込受付部１３４は、予約サイトＹ１におけるユーザの宿泊予約サービスの利用状況に応じて、保険情報ＲＬ１で設定されている補償の割合を変動させる。
【００８０】
なお、申込受付部１３４は、ユーザに応じて変動する複数の補償に関する値が設定された一の保険に対する加入の申込みを、ユーザから受け付けてもよい。例えば、申込受付部１３４は、ユーザに応じて変動する保険金の額に関する値が設定された一の保険に対する加入の申込みを、ユーザから受け付ける。例えば、申込受付部１３４は、ユーザの宿泊予約サービスの利用状況に応じて、保険情報ＲＬ２で設定されている保険金の額を変動させる。
【００８１】
また、申込受付部１３４は、ユーザの信用度に応じて変動する複数の補償割合が設定された一の保険に対する加入の申込みを、ユーザから受け付けてもよい。例えば、申込受付部１３４は、ユーザ情報記憶部１２２の「信用度」の項目に格納された値に応じて補償の割合に所定の値を加算、若しくは、所定の値を減算した保険に対するユーザ（当該「信用度」に対応するユーザ）の加入の申込みを受け付ける。
【００８２】
なお、申込受付部１３４は、予約の対象が実施される時期や地域等に応じて変動する複数の補償割合が設定された一の保険に対する加入の申込みを、ユーザから受け付けてもよい。例えば、予約が、「８〜１０月の期間における沖縄旅行」や、「１２〜２月の期間における北海道旅行」などといった、荒天が発生しやすい時期や地域を対象とする場合、申込受付部１３４は、荒天をキャンセルの事由として補償されるキャンセル料の割合から所定の値を減算した保険に対する加入の申込みを受け付ける。
【００８３】
また、申込受付部１３４は、予約の対象への同伴者に対して発生した事象をキャンセルの事由とする場合に適用される補償割合が設定された一の保険に対する加入の申込みを、ユーザから受け付けてもよい。例えば、申込受付部１３４は、同伴者が病気であることをキャンセルの事由（図５に示すユーザ情報記憶部１２２の事由ＩＤ「ＲＳ２」に対応する事由）とする場合に適用される補償割合が設定された保険に対する加入の申込みを受け付ける。
【００８４】
なお、申込受付部１３４は、予約の対象への同伴者に乳幼児や高齢者を含む場合、申込受付部１３４は、同伴者が病気であることを事由として予約がキャンセルされる可能性が高いとして、当該事由に対応する補償の割合から所定の値を減算した保険に対する加入の申込みを受け付けてもよい。
【００８５】
また、申込受付部１３４は、ユーザの属性情報に応じて変動する複数の補償割合が設定された一の保険に対する加入の申込みを、ユーザから受け付けてもよい。例えば、ユーザ情報記憶部１２２の「属性情報」の項目にユーザ本人が高齢者であることを示す情報や、同居親族に乳幼児、高齢者がいることを示す情報が格納されている場合、申込受付部１３４は、本人同居親族の入通院であることを事由として予約がキャンセルされる可能性が高いとして、当該事由に対応する補償の割合から所定の値を減算した保険に対する加入の申込みを受け付ける。
【００８６】
なお、申込受付部１３４は、ユーザの信用度に応じて変動する複数の補償に関する値が設定された一の保険に対する加入の申込みを、ユーザから受け付けてもよい。例えば、申込受付部１３４は、ユーザの信用度に応じて変動する複数の保険金の額が設定された一の保険に対する加入の申込みを、ユーザから受け付ける。例えば、申込受付部１３４は、ユーザ情報記憶部１２２の「信用度」の項目に格納された値に応じて保険金の額に所定の値を加算、若しくは、所定の値を減算した保険に対するユーザの加入の申込みを受け付ける。
【００８７】
また、申込受付部１３４は、予約の対象が実施される時期や地域等に応じて変動する複数の保険金の額が設定された一の保険に対する加入の申込みを、ユーザから受け付けてもよい。例えば、予約が、「８〜１０月の期間における沖縄旅行」や、「１２〜２月の期間における北海道旅行」などといった、荒天が発生しやすい時期や地域を対象とする場合、申込受付部１３４は、荒天をキャンセルの事由として補償される保険金の額から所定の値を減算した保険に対する加入の申込みを受け付ける。
【００８８】
また、申込受付部１３４は、予約の対象への同伴者に対して発生した事象をキャンセルの事由とする場合に適用される保険金の額が設定された一の保険に対する加入の申込みを、ユーザから受け付けてもよい。例えば、申込受付部１３４は、同伴者が病気であることをキャンセルの事由（図３に示す保険情報ＲＬ２の事由ＩＤ「ＲＳ２」に対応する事由）とする場合に適用される保険金の額が設定された保険に対する加入の申込みを受け付ける。
【００８９】
なお、申込受付部１３４は、予約の対象への同伴者に乳幼児や高齢者を含む場合、申込受付部１３４は、同伴者が病気であることを事由として予約がキャンセルされる可能性が高いとして、当該事由に対応する保険金の額から所定の値を減算した保険に対する加入の申込みを受け付けてもよい。
【００９０】
また、申込受付部１３４は、ユーザの属性情報に応じて変動する複数の保険金の額が設定された一の保険に対する加入の申込みを、ユーザから受け付けてもよい。例えば、ユーザ情報記憶部１２２の「属性情報」の項目にユーザ本人が高齢者であることを示す情報や、同居親族に乳幼児、高齢者がいることを示す情報が格納されている場合、申込受付部１３４は、本人同居親族の入通院であることを事由として予約がキャンセルされる可能性が高いとして、当該事由に対応する保険金の額から所定の値を減算した保険に対する加入の申込みを受け付ける。
【００９１】
また、申込受付部１３４は、旅行または飲食である所定の対象に関する予約を行ったユーザが予約のキャンセルを行った場合に、キャンセルの理由に応じていずれかが適用される複数の補償割合が設定された一の保険に対する加入の申込みを、ユーザから受け付けてもよい。例えば、図１の例において、申込受付部１３４は、予約サイトＹ１において宿泊施設における宿泊プランの１つであるプランＰＬ１の予約を行ったユーザＵ１がキャンセルを行った場合に、キャンセル事由に応じて補償割合が設定された保険に対する加入の申込みを受け付ける。
【００９２】
なお、申込受付部１３４は、旅行または飲食である所定の対象に関する予約を行ったユーザが予約のキャンセルを行った場合に、キャンセルの理由に応じていずれかが適用される複数の補償に関する値が設定された一の保険に対する加入の申込みを、ユーザから受け付けてもよい。例えば、申込受付部１３４は、旅行または飲食である所定の対象に関する予約を行ったユーザが予約のキャンセルを行った場合に、キャンセルの理由に応じていずれかが適用される複数の保険金の額が設定された一の保険に対する加入の申込みを、ユーザから受け付ける。
【００９３】
また、申込受付部１３４は、判定部１３２によりユーザによる一の保険への加入を許可すると判定された場合、ユーザから一の保険に対する加入の申込みを受け付けてもよい。例えば、申込受付部１３４は、判定部１３２により保険への加入が許可され、提供部１３３により保険に対する加入の申込みを行うための情報が提供されたユーザに対する保険への加入の申込みを受け付ける。
【００９４】
なお、申込受付部１３４は、ユーザが予約のキャンセルを行った場合に適用される保険金の上限（例えば、１０万円、１００万円等）が設定された保険に対する加入の申込みを受け付けてもよい。
【００９５】
（契約処理部１３５について）
契約処理部１３５は、ユーザの保険への加入契約に関する処理を行う。例えば、図１の例において、契約処理部１３５は、受信部１３１によりＢＴ３押下情報が受信されると、端末装置１０の識別情報、予約情報（例えば、宿泊予約をキャンセルしたことによって発生するキャンセル料）、保険情報ＲＬ１の識別情報を保険会社装置４０に送信する。そして、保険会社装置４０は、情報処理装置１００から送信された情報を対応付けて記憶部にて管理する。
【００９６】
（申請受付部１３６について）
申請受付部１３６は、保険適用の申請を受け付ける処理を行う。例えば、図１の例において、申請受付部１３６は、端末装置１０からのアクセスに応じて提供部１３３が提供した申請ページにおいて入力された、予約のキャンセルの申込み、キャンセルの事由、並びに、当該事由の証憑等を含む申請情報を受け付ける。ここで、上記の通り、申請情報は受信部１３１により受信されるため、申込受付部１３４は、例えば、受信部１３１を介して申請情報を受け付けてもよいし、申請情報に関しては、端末装置１０から直接受け付けてもよい。
【００９７】
なお、申請受付部１３６は、申請ページにおいて入力されたキャンセルの事由の証憑が情報処理システム１に含まれるサーバ装置等によって取得可能である場合、ユーザから証憑を受け付けなくともよい。例えば、提供部１３３は、情報処理システム１に含まれるサーバ装置等によって証憑が取得可能であるキャンセルの事由（例えば、荒天や、交通機関の遅延等）が入力された際、申請ページ上で証憑の入力が不要である旨の情報を表示するよう制御した申請ページを端末装置１０に提供する。そして、例えば、荒天を事由とする予約のキャンセルがユーザから申し込まれた場合、申請受付部１３６は、当該予約の対象が属するエリアにおける天気情報であって、情報処理システム１に含まれるサーバ装置等によって取得された天気情報を当該事由の証憑として受け付ける。
【００９８】
また、申請ページにおいてキャンセルの事由が入力されなかった場合（図５に示すユーザ情報記憶部１２２の事由ＩＤ「ＲＳ３」に対応する事由によるキャンセルである場合）、申請受付部１３６は、証憑を含まない申請情報を受け付けてもよい。
【００９９】
なお、申請ページの提供処理が保険会社装置４０により行われる場合、保険適用の申請を受け付ける処理は、保険会社装置４０により行われてもよい。
【０１００】
（支払処理部１３７について）
支払処理部１３７は、保険金の支払い処理を行う。例えば、支払処理部１３７は、申請情報に含まれる証憑に基づき、キャンセルの事由が事実であるか否かを確認する。なお、支払処理部１３７によるキャンセルの事由が事実であるか否かの確認には、例えば、システム等による機械的な方法や、審査者等が利用する端末装置にキャンセルの事由及び証憑を送信し、当該審査者等がキャンセルの事由が事実であるか否かを審査した結果を受け付ける方法などが用いられる。
【０１０１】
そして、支払処理部１３７は、キャンセルの事由の確認結果に応じてユーザに支払われる保険金の額を決定する。例えば、証憑によりキャンセルの事由が事実と確認された場合、支払処理部１３７は、当該事由に設定された補償の割合に基づいて、ユーザに支払われる保険金の額を決定する。また、例えば、証憑によりキャンセルの事由が事実と確認された場合や、申請受付部１３６により証憑を含まない申請情報が受け付けられた場合、支払処理部１３７は、ユーザが加入した保険において設定された最も低い補償の割合（図５に示すユーザ情報記憶部１２２の事由ＩＤ「ＲＳ３」に対応する補償の割合）に基づいて、保険金の額を決定する。
【０１０２】
なお、提供部１３３による申請ページの提供処理と、申請受付部１３６による処理とが保険会社装置４０により行われる場合、保険金の支払い処理は、保険会社装置４０により行われてもよい。また、保険会社装置４０は、申請受付部１３６によって受け付けられた申請情報を情報処理装置１００から受け付け、保険金の支払い処理を行ってもよい。
【０１０３】
〔３．申込受付処理のフロー〕
図７を用いて、実施形態に係る情報処理装置１００の保険に対する加入の申込みを受け付ける申込受付処理の手順について説明する。図７は、実施形態に係る申込受付処理の手順の一例を示すフローチャートである。
【０１０４】
図７に示すように、情報処理装置１００は、端末装置１０から保険情報の提供要求を受信したか否かを判定する（ステップＳ１０１）。提供要求を受信していない場合（ステップＳ１０１；Ｎｏ）、情報処理装置１００は、提供要求を受信するまで待機する。一方、提供要求を受信した場合（ステップＳ１０１；Ｙｅｓ）、情報処理装置１００は、端末装置１０を利用するユーザに保険への加入を許可するか否か判定する（ステップＳ１０２）。例えば、図１の例において、情報処理装置１００は、予約サイトＹ１にて提供される宿泊予約サービスにおけるユーザＵ１の利用状況や、キャンセル保険の利用状況などといった、ユーザＵ１に関するユーザ情報に基づき、ユーザＵ１によるキャンセル保険への加入を許可するか否かを判定する。
【０１０５】
保険への加入を許可しないと判定した場合（ステップＳ１０２；Ｎｏ）、情報処理装置１００は、端末装置１０に保険情報を提供せずに処理を終了する。一方、保険への加入を許可すると判定した場合（ステップＳ１０２；Ｙｅｓ）、情報処理装置１００は、端末装置１０に保険情報を提供する（ステップＳ１０３）。
【０１０６】
続いて、情報処理装置１００は、保険の選択を受信したか否かを判定する（ステップＳ１０４）。例えば、図１の例において、情報処理装置１００は、ＢＴ３押下情報を受信したか否かを判定する。保険の選択を受信していない場合（ステップＳ１０４；Ｎｏ）、情報処理装置１００は、受信するまで待機する。一方、保険の選択を受信した場合（ステップＳ１０４；Ｙｅｓ）、情報処理装置１００は、保険に対する加入の申込みを受け付ける（ステップＳ１０５）。続いて、情報処理装置１００は、加入契約処理を行い（ステップＳ１０６）、処理を終了する。
【０１０７】
〔４．申請受付処理のフロー〕
図８を用いて、実施形態に係る情報処理装置１００の保険適用の申請を受け付ける申請受付処理の手順について説明する。図８は、実施形態に係る申請受付処理の手順の一例を示すフローチャートである。なお、以下に説明する申請受付処理は、保険会社装置４０によって行われてもよい。
【０１０８】
図８に示すように、情報処理装置１００は、端末装置１０から保険提供の申請を受け付けたか否かを判定する（ステップＳ２０１）。申請を受け付けていない場合（ステップＳ２０１；Ｎｏ）、情報処理装置１００は、申請を受け付けるまで待機する。一方、申請を受け付けた場合（ステップＳ２０１；Ｙｅｓ）、情報処理装置１００は、端末装置１０を利用するユーザへの保険金の支払処理を行う（ステップＳ２０２）。例えば、図１の例において、情報処理装置１００は、キャンセルの事由、並びに、当該事由の証憑の確認結果に基づいて、ユーザへ支払われる保険金の額を決定する。
【０１０９】
〔５．変形例〕
上述の実施形態は一例を示したものであり、種々の変更及び応用が可能である。
【０１１０】
〔５−１．予約の対象について〕
上述の実施形態において、申込受付部１３４が、旅行または飲食を対象とする予約を行ったユーザが予約のキャンセルを行った場合の補償が設定された保険に対する加入の申込みを受け付ける例を示したが、申込受付部１３４の機能はこのような構成に限定されない。例えば、申込受付部１３４は、旅行及び飲食を含む種々の役務を対象とする予約や、各種イベントのチケットの予約などといった、何らかのキャンセル料が発生する対象に関する保険への加入の申込みを受け付けてもよい。
【０１１１】
〔５−２．ユーザに応じて変動する証憑について〕
上述の実施形態において、申込受付部１３４が、ユーザに応じて変動する補償割合が設定された保険に対する加入の申込みを受け付ける例を示したが、申込受付部１３４の機能はこのような構成に限定されない。例えば、申込受付部１３４は、ユーザの信用度に応じて、保険請求時に提出が要求される証憑が変動する保険に対する加入の申込みを受け付けてもよい。例えば、ユーザの信用度が所定の閾値以上である場合、申込受付部１３４は、通常証憑の提出を要求する事由により予約をキャンセルする際に証憑の提出を不要とする保険や、証憑の確認方法を緩和した保険に対する加入の申込みを受け付ける。また、例えば、ユーザの信用度が所定の閾値以下である場合、申込受付部１３４は、通常提出を要求する証憑よりもよりキャンセルの事由を明確に示す証憑の提出を要求する保険や、証憑の確認方法をより厳格にした保険に対する加入の申込みを受け付ける。
【０１１２】
〔５−３．保険金の支払い処理について〕
上述の実施形態において、情報処理装置１００または保険会社装置４０が保険金の支払い処理を行う例を示したが、情報処理装置１００及び保険会社装置４０の機能はこのような構成に限定されない。例えば、情報処理装置１００が保険適用の申請を受け付けた場合、当該申請が示すキャンセルの事由に基づいて、情報処理装置１００及び保険会社装置４０のいずれが保険金の支払い処理を行うか決定してもよい。例えば、図５に示すユーザ情報記憶部１２２の事由ＩＤ「ＲＳ１」または「ＲＳ２」に対応する事由によるキャンセルに対する保険適用の申請を受け付けた場合、情報処理装置１００は、当該申請に対応する申請情報を保険会社装置４０に送信し、保険会社装置４０が保険金の支払い処理を行う。一方、図５に示すユーザ情報記憶部１２２の事由ＩＤ「ＲＳ３」に対応する事由によるキャンセルに対する保険適用の申請を受け付けた場合、情報処理装置１００は、当該申請に対応する申請情報に基づき、保険金の支払い処理を行う。
【０１１３】
〔６．効果〕
上述してきたように、実施形態に係る情報処理装置１００は、受信部１３１と、判定部１３２と、提供部１３３と、申込受付部１３４と、契約処理部１３５と、申請受付部１３６と、支払処理部１３７とを有する。受信部１３１は、ユーザの操作に応じて端末装置１０から送信される各種情報を受信する。判定部１３２は、ユーザによる一の保険への加入を許可するかどうかを判定する。提供部１３３は、一の保険に対する加入の申込みを行うための情報を、ユーザに提供する。申込受付部１３４は、所定の対象に関する予約を行ったユーザが予約のキャンセルを行った場合に、キャンセルの事由に応じていずれかが適用される複数の補償割合が設定された一の保険に対する加入の申込みを、ユーザから受け付ける。契約処理部１３５は、ユーザの保険への加入契約に関する処理を行う。申請受付部１３６は、保険適用の申請を受け付ける処理を行う。支払処理部１３７は、保険金の支払い処理を行う。
【０１１４】
これにより、実施形態に係る情報処理装置１００は、予約のキャンセルを行った場合の補償割合が設定された保険に対する加入の申込みをユーザから受け付けるため、所定の対象に関する予約のキャンセルを行ったユーザの損害の軽減を可能にする。
【０１１５】
また、実施形態に係る情報処理装置１００において、例えば、申込受付部１３４は、所定の対象の予約時に、一の保険に対する加入の申込みを受け付ける。また、申込受付部１３４は、複数の事由の各々に対応する複数の補償割合が設定された一の保険に対する加入の申込みを、ユーザから受け付ける。また、申込受付部１３４は、キャンセルの事由を問わない不問事由を含む複数の事由の各々に対応する複数の補償割合が設定された一の保険に対する加入の申込みを、ユーザから受け付ける。また、申込受付部１３４は、不問事由に対応する補償割合が最も低い複数の補償割合が設定された一の保険に対する加入の申込みを、ユーザから受け付ける。また、申込受付部１３４は、一の保険による保険請求時に証憑の提出が要求されない事由に対応する補償割合が、証憑の提出が要求される事由に対応する補償割合よりも低い複数の補償割合が設定された一の保険に対する加入の申込みを、ユーザから受け付ける。
【０１１６】
これにより、実施形態に係る情報処理装置１００は、複数のキャンセルの事由の各々に補償割合が設定された保険に対する加入の申込みをユーザから受け付けるため、所定の対象に関する予約のキャンセルを行ったユーザの損害の軽減を可能にする。
【０１１７】
また、実施形態に係る情報処理装置１００において、例えば、申込受付部１３４は、ユーザに応じて変動する複数の補償割合が設定された一の保険に対する加入の申込みを、ユーザから受け付ける。また、申込受付部１３４は、ユーザの信用度に応じて変動する複数の補償割合が設定された一の保険に対する加入の申込みを、ユーザから受け付ける。
【０１１８】
これにより、実施形態に係る情報処理装置１００は、ユーザに応じて変動する補償割合が設定された保険に対する加入の申込みをユーザから受け付けるため、所定の対象に関する予約のキャンセルを行ったユーザの損害の軽減を可能にする。
【０１１９】
また、実施形態に係る情報処理装置１００において、例えば、申込受付部１３４は、旅行または飲食である所定の対象に関する予約を行ったユーザが予約のキャンセルを行った場合に、キャンセルの理由に応じていずれかが適用される複数の補償割合が設定された一の保険に対する加入の申込みを、ユーザから受け付ける。
【０１２０】
これにより、実施形態に係る情報処理装置１００は、種々の対象に予約対する保険に対する加入の申込みをユーザから受け付けるため、ユーザの利便性を向上できる。
【０１２１】
また、実施形態に係る情報処理装置１００において、例えば、申込受付部１３４は、判定部１３２によりユーザによる一の保険への加入を許可すると判定された場合、ユーザから一の保険に対する加入の申込みを受け付ける。また、判定部１３２は、ユーザに関する情報に基づいて、ユーザによる一の保険への加入を許可するかどうかを判定する。また、判定部１３２は、ユーザの信用度に基づいて、ユーザによる一の保険への加入を許可するかどうかを判定する。また、判定部１３２は、ユーザが一の保険に関する不正を行う不正ユーザかどうかを判定する。また、判定部１３２は、一の保険に関するユーザへの支払履歴に基づいて、ユーザが不正ユーザかどうかを判定する。また、判定部１３２は、ユーザに保険金が支払われた対象を提供する事業者に基づいて、ユーザが不正ユーザかどうかを判定する。また、判定部１３２は、事業者が提供する対象について、所定の回数よりも多くユーザに保険金が支払われていた場合、ユーザが不正ユーザかどうかを判定する。
【０１２２】
これにより、実施形態に係る情報処理装置１００は、ユーザの保険へ加入を許可するか否かを判定し、保険への加入の申込みを受け付けるため、モラルリスクを軽減できる。
【０１２３】
また、実施形態に係る情報処理装置１００において、例えば、申込受付部１３４は、所定の対象に関する予約を行ったユーザが予約のキャンセルを行った場合に、キャンセルの事由に応じていずれかが適用される複数の補償に関する値が設定された一の保険に対する加入の申込みを、ユーザから受け付ける。
【０１２４】
これにより、実施形態に係る情報処理装置１００は、予約のキャンセルを行った場合の補償に関する値が設定された保険に対する加入の申込みをユーザから受け付けるため、所定の対象に関する予約のキャンセルを行ったユーザの損害の軽減を可能にする。
【０１２５】
また、実施形態に係る情報処理装置１００において、例えば、申込受付部１３４は、複数の事由の各々に対応する複数の補償に関する値が設定された一の保険に対する加入の申込みを、ユーザから受け付ける。また、申込受付部１３４は、キャンセルの事由を問わない不問事由を含む複数の事由の各々に対応する複数の補償に関する値が設定された一の保険に対する加入の申込みを、ユーザから受け付ける。また、申込受付部１３４は、不問事由に対応する補償に関する値が最も低い複数の補償に関する値が設定された一の保険に対する加入の申込みを、ユーザから受け付ける。また、申込受付部１３４は、不問事由に対応する補償に関する値が最も低い複数の補償に関する値が設定された一の保険に対する加入の申込みを、ユーザから受け付ける。また、申込受付部１３４は、一の保険による保険請求時に証憑の提出が要求されない事由に対応する補償に関する値が、証憑の提出が要求される事由に対応する補償に関する値よりも低い複数の補償に関する値が設定された一の保険に対する加入の申込みを、ユーザから受け付ける。
【０１２６】
これにより、実施形態に係る情報処理装置１００は、複数のキャンセルの事由の各々に補償に関する値が設定された保険に対する加入の申込みをユーザから受け付けるため、所定の対象に関する予約のキャンセルを行ったユーザの損害の軽減を可能にする。
【０１２７】
また、実施形態に係る情報処理装置１００において、例えば、申込受付部１３４は、ユーザに応じて変動する複数の補償に関する値が設定された一の保険に対する加入の申込みを、ユーザから受け付ける。また、申込受付部１３４は、ユーザの信用度に応じて変動する複数の補償に関する値が設定された一の保険に対する加入の申込みを、ユーザから受け付ける。
【０１２８】
これにより、実施形態に係る情報処理装置１００は、ユーザに応じて変動する補償に関する値が設定された保険に対する加入の申込みをユーザから受け付けるため、所定の対象に関する予約のキャンセルを行ったユーザの損害の軽減を可能にする。
【０１２９】
また、実施形態に係る情報処理装置１００において、例えば、申込受付部１３４は、旅行または飲食である所定の対象に関する予約を行ったユーザが予約のキャンセルを行った場合に、キャンセルの理由に応じていずれかが適用される複数の補償に関する値が設定された一の保険に対する加入の申込みを、ユーザから受け付ける。
【０１３０】
これにより、実施形態に係る情報処理装置１００は、種々の対象に予約対する保険に対する加入の申込みをユーザから受け付けるため、ユーザの利便性を向上できる。
【０１３１】
また、実施形態に係る情報処理装置１００において、例えば、申込受付部１３４は、キャンセルの事由に応じていずれかが適用される複数の保険金の額が設定された一の保険に対する加入の申込みを、ユーザから受け付ける。
【０１３２】
これにより、実施形態に係る情報処理装置１００は、予約のキャンセルを行った場合の保険金の額が設定された保険に対する加入の申込みをユーザから受け付けるため、所定の対象に関する予約のキャンセルを行ったユーザの損害の軽減を可能にする。
【０１３３】
〔７．ハードウェア構成〕
また、上述してきた各実施形態に係る情報処理装置は、例えば図９に示すような構成のコンピュータ１０００によって実現される。以下、情報処理装置１００を例に挙げて説明する。図９は、情報処理装置の機能を実現するコンピュータの一例を示すハードウェア構成図である。コンピュータ１０００は、ＣＰＵ１１００、ＲＯＭ１２００、ＲＡＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１３４】
ＣＰＵ１１００は、ＲＯＭ１２００又はＨＤＤ１４００に格納されたプログラムに基づいて動作し、各部の制御を行う。ＲＯＭ１２００は、コンピュータ１０００の起動時にＣＰＵ１１００によって実行されるブートプログラムや、コンピュータ１０００のハードウェアに依存するプログラム等を格納する。
【０１３５】
ＨＤＤ１４００は、ＣＰＵ１１００によって実行されるプログラム、及び、かかるプログラムによって使用されるデータ等を記憶する。通信インターフェイス１５００は、通信網５００（実施形態のネットワークＮに対応する）を介して他の機器からデータを受信してＣＰＵ１１００へ送り、また、通信網５００を介してＣＰＵ１１００が生成したデータを他の機器へ送信する。
【０１３６】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して生成したデータを出力装置へ出力する。
【０１３７】
メディアインターフェイス１７００は、記録媒体１８００に格納されたプログラム又はデータを読み取り、ＲＡＭ１３００を介してＣＰＵ１１００に提供する。ＣＰＵ１１００は、かかるプログラムを、メディアインターフェイス１７００を介して記録媒体１８００からＲＡＭ１３００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１３８】
例えば、コンピュータ１０００が情報処理装置１００として機能する場合、コンピュータ１０００のＣＰＵ１１００は、ＲＡＭ１３００上にロードされたプログラムを実行することにより、制御部１３０の機能を実現する。また、ＨＤＤ１４００には、情報処理装置１００の記憶装置内の各データが格納される。コンピュータ１０００のＣＰＵ１１００は、これらのプログラムを記録媒体１８００から読み取って実行するが、他の例として、他の装置から所定の通信網を介してこれらのプログラムを取得してもよい。
【０１３９】
〔８．その他〕
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１４０】
また、上述した情報処理装置１００は、機能によっては外部のプラットフォーム等をＡＰＩ（Application  Programming  Interface）やネットワークコンピューティングなどで呼び出して実現するなど、構成は柔軟に変更できる。
【０１４１】
また、特許請求の範囲に記載した「部」は、「手段」や「回路」などに読み替えることができる。例えば、取得部は、取得手段や取得回路に読み替えることができる。
【符号の説明】
【０１４２】
１０      端末装置
４０      保険会社装置
１００    情報処理装置
１１０    通信部
１２０    記憶部
１２１    保険情報記憶部
１２２    ユーザ情報記憶部
１３０    制御部
１３１    受信部
１３２    判定部
１３３    提供部
１３４    申込受付部
１３５    契約処理部
１３６    申請受付部
１３７    支払処理部
【図１】
2020194512.tif 000003
【図２】
2020194512.tif 000004
【図３】
2020194512.tif 000005
【図４】
2020194512.tif 000006
【図５】
2020194512.tif 000007
【図６】
2020194512.tif 000008
【図７】
2020194512.tif 000009
【図８】
2020194512.tif 000010
【図９】
2020194512.tif 000011